(57)【要約】【課題】良好な歩行感が得られ、歩行感と防音性能とのバランスもよく、かつ製造を低コストで効率よくできる防音床材およびその製造方法を提供する。【解決手段】防音床材１は、木質基材１０の裏面１１側にクッション材層２０を有している。クッション材層２０は、その厚み方向の一方の面に複数の凹部２２が形成されており、凹部２２の底面部２３に硬度向上用の添加剤が含浸されている。【選択図】図１
2017210828.tif 000002
【特許請求の範囲】
【請求項１】
木質基材の裏面側にクッション材層を有した防音床材において、
前記クッション材層は、その厚み方向の一方の面に複数の凹部が形成されており、該凹部の底面部に硬度向上用の添加剤が含浸されていることを特徴とする防音床材。
【請求項２】
請求項１において、
前記添加剤は前記底面部の厚み方向の一部に含浸されていることを特徴とする防音床材。
【請求項３】
請求項２において、
前記凹部は凹溝状とされ、
前記クッション材層の平面視における前記添加剤の含浸位置が、前記凹部の長手方向における不連続な部位とされることを特徴とする防音床材。
【請求項４】
請求項２または３において、
前記クッション材層の平面視における前記添加剤の含浸位置が千鳥状となっていることを特徴とする防音床材。
【請求項５】
木質基材の裏面側にクッション材層を有した防音床材を製造する、防音床材の製造方法において、
前記クッション材層は、厚み方向の両面が平面とされたクッション材を原材料としており、
前記クッション材の一方面の複数の部位に、溶剤系の硬度向上用の添加剤を塗布して凹部を形成する凹部形成ステップを、前記木質基材の裏面に前記クッション材を貼りつけるステップの実行の前、後のいずれかに実行することを特徴とする防音床材の製造方法。
【請求項６】
木質基材の裏面側にクッション材層を有した防音床材を製造する、防音床材の製造方法において、
前記クッション材層は、厚み方向の一方の面が平面とされ、他方の面に複数の凹部が形成されたクッション材を原材料としており、
前記クッション材の平面とされた面における前記凹部に対応した部位に、硬度向上用の添加剤を塗布することを特徴とする防音床材の製造方法。
【請求項７】
木質基材の裏面側にクッション材層を有した防音床材を製造する、防音床材の製造方法において、
前記クッション材層は、厚み方向の一方の面が平面とされ、他方の面に複数の凹部が形成されたクッション材を原材料としており、
前記クッション材の前記凹部の内底面に、硬度向上用の添加剤を塗布することを特徴とする防音床材の製造方法。
【発明の詳細な説明】
【技術分野】
【０００１】
本発明は、木質基材の裏面にクッション材層を有した防音床材およびその製造方法に関する。
【背景技術】
【０００２】
この種の防音床材に設けられたクッション材層は、吸音性、遮音性、衝撃緩和性の向上を目的として設けられており、防音床材としての防音性能を向上させるようにしたものである。
【０００３】
従来のこの種の防音床材として、クッション材層を２種の材料で構成したものが提案されている（たとえば、特許文献１参照）。この文献に記載されたクッション材層は、交互に横並び配置した硬質材および軟質材より構成されており、硬質材部分が軟質材の下面よりも凹んでいる。
【０００４】
この防音床材によれば、荷重が加わって軟質材が収縮していくと硬質材が床下地に接触し、それ以上の荷重が加われば、クッション材層が大きく収縮しないように硬質材が作用するため、沈み込みすぎず、良好な歩行感が得られる。また、この種の直貼り床材によれば、施工状態ではクッション材層の凹凸面により空洞が形成されるため、その空洞により防音性能を向上させることができる。
【先行技術文献】
【特許文献】
【０００５】
【特許文献１】実開平３−１０８７４０号公報
【発明の概要】
【発明が解決しようとする課題】
【０００６】
しかしながら、上記従来の防音床材はクッション材層に２種の材料を用いているため、製造が面倒であり、製造コストも多くかかるおそれがある。
【０００７】
また、従来の防音床材は、防音性能がたとえばΔＬＬ−５のように良いものほど歩行感が悪くなるという傾向があり、防音性能と歩行感とがともによく、それらのバランスがとれた防音床材の製造が求められていた。
【０００８】
本発明は、このような事情を考慮して提案されたもので、その目的は、良好な歩行感が得られ、歩行感と防音性能とのバランスもよく、かつ製造を低コストで効率よくできる防音床材およびその製造方法を提供することにある。
【課題を解決するための手段】
【０００９】
上記の目的を達成するために、本発明の防音床材は、木質基材の裏面側にクッション材層を有した防音床材において、クッション材層は、その厚み方向の一方の面に複数の凹部が形成されており、凹部の底面部に硬度向上用の添加剤が含浸されていることを特徴とする。
【００１０】
また、上記の目的を達成するために、本発明の防音床材の製造方法は、木質基材の裏面側にクッション材層を有した防音床材を製造する、防音床材の製造方法において、クッション材層は、厚み方向の両面が平面とされたクッション材を原材料としており、クッション材の一方面の複数の部位に、溶剤系の硬度向上用の添加剤を塗布して凹部を形成する凹部形成ステップを、木質基材の裏面にクッション材を貼りつけるステップの実行の前、後のいずれかに実行することを特徴とする。
【００１１】
さらにまた、本発明の他の防音床材の製造方法は、木質基材の裏面側にクッション材層を有した防音床材を製造する、防音床材の製造方法において、クッション材層は、厚み方向の一方の面が平面とされ、他方の面に複数の凹部が形成されたクッション材を原材料としており、クッション材の平面とされた面における凹部に対応した部位に、硬度向上用の添加剤を塗布することを特徴とする。
【００１２】
また、本発明のさらに他の防音床材の製造方法は、木質基材の裏面側にクッション材層を有した防音床材を製造する、防音床材の製造方法において、クッション材層は、厚み方向の一方の面が平面とされ、他方の面に複数の凹部が形成されたクッション材を原材料としており、クッション材の凹部の内底面に、硬度向上用の添加剤を塗布することを特徴とする。
【発明の効果】
【００１３】
本発明の防音床材によれば、上述した構成となっているため、良好な歩行感が得られ、歩行感と防音性能とのバランスもよく、かつ、製造を低コストで効率よくできる。
【００１４】
本発明の防音床材の製造方法によれば、上述した構成となっているため、歩行感が良好な防音床材を低コストで効率よく製造することができる。
【００１５】
また、本発明の他の防音床材の製造方法によれば、上述した構成となっているため、歩行感が良好な防音床材を低コストで効率よく製造することができる。
【００１６】
さらにまた、本発明のさらに他の防音床材の製造方法によれば、上述した構成となっているため、歩行感が良好な防音床材を低コストで効率よく製造することができる。
【００１７】
さらにまた、本発明のさらに他の防音床材の製造方法によれば、上述した構成となっているため、歩行感が良好な防音床材を低コストで効率よく製造することができる。
【図面の簡単な説明】
【００１８】
【図１】（ａ）〜（ｄ）は、本発明の実施形態に係る防音床材の４例の概略縦断面図である。
【図２】（ａ）は添加剤が含浸された部位を模式的に示した防音床材の部分平面図、（ｂ）は（ａ）のＡ−Ａ線に対応した拡大部分縦断面図、（ｃ）は（ａ）のＢ−Ｂ線に対応した拡大部分縦断面図である。
【図３】（ａ）（ｂ）は、本発明の一実施形態に係る防音床材の製造方法の一例を示した縦断面図である。
【図４】（ａ）〜（ｃ）は、本発明の他の実施形態に係る防音床材の製造方法の一例を示した縦断面図である。
【図５】（ａ）〜（ｃ）は、本発明の他の実施形態に係る防音床材の製造方法の一例を示した縦断面図である。
【図６】（ａ）（ｂ）は、同実施形態に係る防音床材の製造方法の他の例を示した縦断面図である。
【発明を実施するための形態】
【００１９】
以下に、本発明の実施の形態について、添付図面をもとに説明する。まず、以下の実施形態に係る防音床材１の概略基本構成について説明する。
【００２０】
本防音床材１は、木質基材１０の裏面１１側にクッション材層２０を有した床材である。クッション材層２０は、たとえば図１（ａ）〜（ｄ）に示すように、その厚み方向の一方の面に複数の凹部２２が形成されており、凹部２２の底面部２３に硬度向上用の添加剤が含浸されている。ここで、底面部２３とは、凹部２２の底部側（凹部２２の内底面から凹部２２面とは反対の面まで）の肉薄となった部位である。
【００２１】
防音床材１がこのような構成となっているため、凹部２２の底面部２３が添加剤によりクッション材層２０の他の部位よりも硬く形成されている。そのため、柔軟なクッション材層２０による、歩行時のぶよぶよ感、ふわふわ感を緩和することができ、良好な歩行感が得られる。もちろん、防音床材１はクッション材層２０を有しているので、防音性能を担保され得る。
【００２２】
ついで、この防音床材１の詳細について、図１に示した４例を参照しながら説明する。なお、図１に示した縦断面図は、長方形の防音床材１を短手方向で切断したものの断面図である。
【００２３】
この防音床材１の木質基材１０としては、複数の単板を重ねてなる合板を用いることができる。合板としては、５プライ、７プライなど種々のものを使用できる。もちろん、合板以外の他の材料を木質基材１０として用いてもよい。この木質基材の表面には、突き板や化粧シートよりなる化粧材３０が貼着されている。
【００２４】
木質基材１０の裏面１１には、長手方向、短手方向のそれぞれに沿って延びる、縦断面視でほぼ同形状の複数のスリット１２が形成されている（図１（ａ）〜（ｄ）参照）。これらのスリット１２は木質基材１０の側端から反対側の側端まで貫通するように鋸加工などにより形成されている。木質基材１０は、これらのスリット１２により剛性が低下し、衝撃緩和作用がもたらされるようになっている。なお、スリット１２が長手方向、短手方向の一方のみに形成されたものでもよいし、スリット１２のないものでもよい。
【００２５】
また、木質基材１０の裏面１１側に設けたクッション材層２０は、厚み方向の一方の面に長手方向に沿って延びた複数の凹部２２が形成されて、ストライプ状の凹凸面となっている。凹凸面の凸部２１は防音性能の向上に寄与している。
【００２６】
このクッション材層２０は、ポリウレタン発泡体よりなるクッション材２０ａを材料とし、これを木質基材１０の裏面に貼りつけてなる層である。なおクッション材２０ａとしては、ポリエチレン発泡体や不織布などでもよく、柔軟な多孔質材料であれば、その他の材料であってもよい。
【００２７】
クッション材層２０に設けられた凹部２２は、凹溝状とされ、平板状のクッション材料を熱圧縮することにより形成されている。したがって、添加剤が含浸されていない状態のクッション材２０ａにおける凹部２２の底面部２３は、凸部の厚み方向に相当する部位よりもやや硬めとなっている。よって、この凹部２２の底面部２３は歩行感の向上に寄与する。なお、凹部２２の形成方法は熱圧縮に限られず、種々の加工方法によるものでもよく、添加剤が含浸されていない状態のクッション材２０ａは、凹凸に関係なく全体が均一な硬度のものであってもよい。
【００２８】
上述したように、クッション材層２０の凹部２２の底面部２３には、硬度向上用の添加剤が含浸されている。つまり、添加剤の含浸された部位（以下、「添加剤の含浸部２４」または「含浸部２４」という）は、硬度が足りず歩行感があまりよくないクッション材層２０を、歩行感が向上するように作用するものである。含浸部２４は、図１（ａ）〜（ｃ）にクロスハッチングで示してあるように、底面部２３の厚み方向の一部であってもよいし、図１（ｄ）にクロスハッチングで示してあるように、底面部２３における厚み方向のほぼ全体であってもよい。
【００２９】
このようなクッション材層２０を有した防音床材１は、図３〜図６の説明において後述する製造方法によって製造され得るが、他の製造方法によって製造されてもよく、後述する製造方法には限定されない。
【００３０】
含浸されている添加剤としては塗料が用いられる。塗料としては、コンクリート表面の硬質化に用いられる表面強化塗料が好適に用いられるが、これには限定されない。また、塗料の素材としては、アクリル系、ウレタン系、シリコン系、フッ素系など、いずれでもよい。また、塗料は水性、油性（溶剤）のいずれでもよい。さらに、硬化剤を付加して２液型とした弾性塗料が用いられてもよい。たとえば、弾性塗料としては、主剤と硬化剤との混合によりエポキシ樹脂、ウレタン樹脂などが生成されるものであればよい。
【００３１】
図１（ａ）〜（ｄ）に示した防音床材１は、クッション材層２０の形態が種々異なるものである。
【００３２】
図１（ａ）の防音床材１のクッション材層２０は、凹部２２が防音床材１の裏面側に形成されており、添加剤の含浸部２４が底面部２３における上面側（木質基材１０との接着面側）に形成されている。つまり、底面部２３の上部は添加剤により硬く形成され、底面部２３の下部はそれよりも柔らかく形成されている。
【００３３】
また、この防音床材１の裏面側の凹凸面にはシート３１が貼りつけされている。このシート３１は合成樹脂などの薄材料よりなる。本防音床材１のように施工の際に凹凸面が裏面側に配されるものでは、床下地に接着剤を用いて施工する場合に、このシート３１により接着剤の凹部２２内への入りこみを防止することができる。その結果、防音性能や歩行感が所望のものにならないことを防止することができる。
【００３４】
この防音床材１によれば、底面部２３の一部に添加剤により硬質化された含浸部２４を有しているため、歩行の際のクッション材層２０によるぶよぶよ感、ふわふわ感を抑制でき、防音性能、歩行感のバランスをよくすることができる。また、含浸部２４が底面部２３の表面（凹２２部の内底面）にまで及んでいないため、内底面は本来のクッション材層２０による軟らかさを有している。そのため、歩行の際に、クッション材層２０の凸部２１が圧縮されて凹部２２の内底面が床下地側に接触した場合でも、硬質感のある打音は発生しにくい。
【００３５】
図１（ｂ）の防音床材１のクッション材層２０は、凹部２２が木質基材１０との接着面側に上向きに形成されており、添加剤の含浸部２４が底面部２３における凹部２２の内底面側に形成されている。なお、この防音床材１はクッション材層２０の裏面が平面となっているため、裏面にはシート３１は貼りつけされていない。
【００３６】
この防音床材１についても図１（ａ）のものと同様、底面部２３の一部に添加剤により硬質化された部位を有しているため、歩行の際のぶよぶよ感、ふわふわ感を抑制することができる。また、防音床材１の裏面に添加剤の含浸部２４が露出していないため、歩行の際に硬質感のある打音が発生することを防止することができる。
【００３７】
図１（ｃ）の防音床材１のクッション材層２０は、図１（ａ）と同様、凹部２２が防音床材１の裏面側に形成されているが、添加剤の含浸部２４が底面部２３における内底面に露出している。また、図１（ａ）と同様に凹部２２が裏面側に配されているため、その凹凸面にシート３１が貼りつけされている。
【００３８】
この防音床材１による効果は図１（ａ）のものと概ね同じであるが、添加剤の含浸部２４が凹部２２の内底面に露出しているため、歩行の際に硬質感のある打音が発生するおそれがある。ただし、添加剤の種類を弾性塗料とするなどにより硬質化の程度を低減することで、打音の低減化を図ることができる。
【００３９】
図１（ｄ）の防音床材１のクッション材層２０は、図１（ａ）と同様、凹部２２が防音床材１の裏面側に形成されているが、添加剤の含浸部２４が底面部２３における厚み方向の全体に形成されている。また、図１（ａ）と同様に凹部２２が裏面側に配されているため、その凹凸面にシート３１が貼りつけされている。
【００４０】
この防音床材１は底面部２３における添加剤の含浸部２４の厚みが厚く、上記３例と同様の添加剤を用いた場合には、厚めの含浸部２４により、歩行感がさらに良好となる可能性がある。この防音床材１についても、添加剤の含浸部２４が凹部２２の内底面に露出しているため、歩行の際に硬質感のある打音が発生するおそれがあるが、添加剤の種類を弾性塗料とするなどにより硬質化の程度を低減することで、打音の低減化を図ることができる。
【００４１】
つぎに、クッション材層２０の平面における添加剤の含浸部２４の形成位置について、図２を参照して説明する。
【００４２】
図２（ａ）は、クッション材層２０の一部を模式的に示した部分平面図である。この平面図には、概略的に添加剤の含浸部２４を〇印で示した。クッション材層２０には、図２（ａ）に示すように、凹部２２が長手方向Ｄに沿って延びるように形成してある。その凹部２２（底面部２３）と、凹部２２に隣接する凸部２１とは短手方向に交互に表れている。
【００４３】
上述したように、添加剤の含浸部２４は凹部２２の底面部２３の位置に形成されているが、１条の底面部２３の長手方向において含浸部２４はほぼ等間隔に点在している。さらに、防音床材１の短手方向において凸部２１を介して並んだ複数の凹部２２（底面部２３）のそれぞれには、含浸部２４がほぼ等間隔に形成されているが、平面全体では図２（ａ）に示すように千鳥状に点在している。
【００４４】
このように含浸部２４が連続して形成されていないため、図２（ｂ）（ｃ）のように、歩行の際に底面部２３が矢印方向の上方からの荷重により圧縮されたときに、含浸部２４が横方向（図２（ａ）に示すように全方位に放射状）に、図２（ｂ）（ｃ）に示すように隣接部を圧縮するように膨らむ。なお、図２（ｂ）（ｃ）には、底面部２３の厚み方向の全体に含浸部２４が形成されたものを図示した。
【００４５】
このように、平面視敵には含浸部２４が点在形成してあるため、含浸部２４の一部を横方向に逃がすことができ、変形分の逃げ場がなくなることを防止できる。なお、添加剤の含浸によりその部位が硬質化するが、その含浸部２４は可撓性（弾性）があるため弾性変形の逃げ場が必要とされる。添加剤が弾性塗料である場合、含浸部２４の弾性変形の程度が大きく、このように含浸部２４を点在させて形成することが、特に有効である。
【００４６】
以上のように、添加剤の含浸位置は底面部２３の長手方向における不連続な部位とされることが望ましく、平面全体としては図２（ａ）のように千鳥状となっていることが、さらに望ましい。
【００４７】
つぎに、本発明の防音床材の製造方法について、図３〜図６を参照して、各図に対応した４種の方法を説明する。いずれの方法も、木質基材１０の裏面１１側にクッション材層２０を有した防音床材１を製造する方法であり、以下では、その方法の主たる工程である、クッション材２０ａに対する添加剤の付与工程を中心として説明する。
【００４８】
図３に示した防音床材の製造方法では、クッション材層２０（図１参照）は、厚み方向の一方の面が平面とされ、他方の面に複数の凹部２２が形成されたクッション材２０ａを原材料として用いている。このようなクッション材２０ａの凹部２２は平板状の材料を熱圧縮して形成することが望ましいが、特にその方法には限られない。
【００４９】
まず、図３（ａ）の（ａ−１）に示すように、クッション材２０ａの平面とされた面における凹部２２に対応した部位に、硬度向上用の添加剤を塗布する（（ａ−１）における塗りつぶし矢印参照）。この塗布はすべての凹部２２に対応して行われるが、図２（ａ）に示したように、塗布は長手方向に沿って点在位置に対して行うことが望ましい。
【００５０】
そして、添加剤を塗布した後に、時間の経過にしたがって、添加剤が凹部２２の底面部２３に含浸していき、底面部２３の一部（平面側）に含浸部２４が形成される（図３（ａ）の（ａ−２）参照）。なお、このように底面部２３の厚み方向の一部のみに含浸部２４を形成するためには、添加剤の塗布量を調整するか、あるいは、途中までの含浸が認められた時点でクッション材２０ａを裏返すようにすればよい。
【００５１】
こうして含浸部２４が形成されたクッション材２０ａの平面とされた面を木質基材１０の裏面に接着するようにして、つまり含浸部２４が表れた面が接着面となるようにして、クッション材２０ａを木質基材１０に貼りつけて２層化する（図３（ｂ）参照）。なお、凹部２２を有した面が接着面となるようにクッション材２０ａを貼りつけてもよいが、打音の発生を防止するためには、図３（ｂ）のようにすることが望ましい。
【００５２】
このように２層に形成された防音床材本体１ａに化粧材３０およびシート３１を付加することで、図１（ａ）に示した防音床材１が形成される。なお、化粧材３０およびシート３１は、図３に示した工程の実行前に取りつけておいてもよい。
【００５３】
図４に示した防音床材の製造方法では、クッション材層２０は、厚み方向の一方の面が平面とされ、他方の面に複数の凹部２２が形成されたクッション材２０ａを原材料として用いている。このようなクッション材２０ａの凹部２２は平板状の材料を熱圧縮して形成することが望ましいが、特にその方法には限られない。
【００５４】
まず、図４（ａ）の（ａ−１）に示すように、クッション材２０ａの凹部２２の内底面に硬度向上用の添加剤を塗布する（（ａ−１）における塗りつぶし矢印参照）。この塗布はすべての凹部２２に行われるが、図２（ａ）に示したように、塗布は長手方向に沿って点在位置に対して行うことが望ましい。
【００５５】
そして、添加剤を塗布した後に、時間の経過にしたがって、添加剤が凹部２２の底面部２３に含浸していき、底面部２３の一部（内底面側）に含浸部２４が形成される（図４（ａ）の（ａ−２）参照）。なお、このように底面部２３の厚み方向の一部に含浸部２４を形成するためには、添加剤の塗布量を調整するか、あるいは、途中までの含浸が認められた時点でクッション材２０ａを裏返すようにすればよい。
【００５６】
こうして含浸部２４が形成されたクッション材２０ａのいずれかの面を木質基材１０の裏面に接着するようにして、クッション材２０ａを木質基材１０に貼りつけて２層化する（図４（ｂ）（ｃ）参照）。
【００５７】
このように２層に形成された防音床材本体１ａに化粧材３０を付加することで、図４（ａ）（ｂ）の順に実行した場合、図１（ｂ）に示した防音床材１が形成され、図４（ａ）（ｃ）の順に実行した場合、さらにシート３１を付加することで、図１（ｃ）に示した防音床材１が形成される。なお、これらの場合、化粧材３０は、図３に示した工程の実行前に木質基材１０に取りつけておいてもよい。
【００５８】
また、図１（ｃ）の防音床材１は、防音床材１の裏面に配された凹部２２の内底面側に含浸部２４が形成されたものであるから、それを形成するためには、図４（ａ）（ｃ）の順で実行しなくてもよい。つまり、凹部２２を有したクッション材２０ａを、その平面を木質基材１０に貼りつけた後に、凹部２２の内底面に添加剤を塗布するようにしてもよい。
【００５９】
以上に示した防音床材の製造方法によれば、防音床材１の構成材料であるクッション材２０ａの凹部２２の底面部２３を簡単に硬質化でき、その結果、歩行感が良好な防音床材１を低コストで効率的に製造することができる。
【００６０】
また、つぎに説明する図５および図６に示した製造方法は、クッション材２０ａに対する添加剤の塗布により、含浸部２４だけではなく、凹部２２自体をも形成する方法である。
【００６１】
これらの防音床材の製造方法では、クッション材層２０は、厚み方向の両面が平面とされたクッション材２０ａを原材料として用いている。
【００６２】
これらの方法は、クッション材２０ａの一方面の複数の部位に、溶剤系の硬度向上用の添加剤を塗布して凹部２２を形成する凹部形成ステップを、木質基材１０の裏面１１にクッション材２０ａを貼りつけるステップの実行の前、後のいずれかに実行する手順となっている。
【００６３】
図５に示した製造方法は、木質基材１０の裏面にクッション材２０ａを貼りつけるステップの実行の前に凹部形成ステップ（図５（ａ）の（ａ−１）参照）を実行する方法である。
【００６４】
この製造方法では、まず原材料となるクッション材２０ａの一方面にストライプ状に添加剤を塗布する（（ａ−１）における塗りつぶし矢印参照）凹部形成ステップを実行する。この添加剤は溶剤系（油性）であるため、クッション材２０ａが溶解していき、凹部２２が形成される。その後、溶解は止まるが、添加剤の含浸が進み凹部２２の底面部２３に含浸部２４が形成される。
【００６５】
つぎに、このようにして凹部２２および含浸部２４が形成されたクッション材２０ａを、木質基材１０の裏面に貼りつける。貼りつけ方としては、クッション材２０ａの平面側を接着面として貼りつけてもよいし（図５（ｂ）参照）、凹部２２が形成された面を接着面としてもよい（図５（ｃ）参照）。
【００６６】
図５（ｂ）のように貼りつける場合、このように２層に形成された防音床材本体１ａに化粧材３０およびシート３１を付加することで、図１（ｃ）に示した防音床材１が形成される。なお、化粧材３０は、図５に示した工程の実行前に木質基材１０に取りつけておいてもよい。
【００６７】
また図５（ｃ）のように貼りつける場合、防音床材本体１ａに化粧材３０を付加することで、図１（ｂ）に示した防音床材が形成される。
【００６８】
図５および図６に示した防音床材の製造方法によれば、溶剤系の添加剤を塗布するだけで、凹部２２と底面部２３における含浸部２４とがいちどに形成でき、防音床材１の製造をさらに簡易化することができる。その結果、歩行感が良好な防音床材１を低コストで効率的に製造することができる。
【００６９】
また、この製造方法では凹部形成ステップ（図５（ａ）の（ａ−１）参照）が、クッション材２０ａを木質基材１０へ貼りつけする前に実行される手順となっているため、いずれの面を接着面とするかを後で選択することができ、利便性が高い。
【００７０】
図５に示した製造方法の場合、凹溝状の連続的な凹部２２を形成するためには、添加剤は途切れなく連続的に塗布する必要があるため、添加剤の含浸部２４も凹部２２の長手方向に連続的に形成され得る。なお、凹部２２が連続的になるように、かつ含浸部２４が不連続となるように、添加剤の量や塗布のスピードをコントロールしながら塗布するようにしてもよい。また、凹部２２自体を点在させるようにしてもよい。
【００７１】
一方、図６に示した製造方法は、木質基材１０の裏面１１にクッション材２０ａを貼りつけるステップの実行の後に凹部形成ステップ（図６（ｂ）の（ｂ−１）参照）を実行する方法である。
【００７２】
この製造方法では、まず、クッション材２０ａをその一方面を接着面として、木質基材１０の裏面１１への貼りつけを行う（図６（ａ）参照）。
【００７３】
このように形成された防音床材本体１ａの（クッション材２０ａの）裏面に、ストライプ状に添加剤を塗布する（（ｂ−１）における塗りつぶし矢印参照）。図５に示した方法と同様、この添加剤は溶剤系（油性）であるため、クッション材２０ａが溶解していき、凹溝状の凹部２２が形成される。その後、溶解は止まるが、添加剤の含浸が進み凹部２２の底面部２３に含浸部２４が形成される（図６（ｂ）の（ｂ−２）参照）。
【００７４】
このように凹部２２および含浸部２４が形成された防音床材本体１ａに化粧材３０およびシート３１を付加することで、図１（ｃ）に示した防音床材１が形成される。なお、化粧材３０は、図６に示した工程の実行前に木質基材１０に取りつけておいてもよい。
【００７５】
この製造方法によれば、図５の製造方法と同様、添加剤を塗布するだけで、凹部２２と底面部２３における含浸部２４とがいちどに形成でき、防音床材１の製造を簡易化することができる。その結果、歩行感が良好な防音床材１を低コストで効率的に製造することができる。また、この製造方法は、凹部２２が未形成のクッション材２０ａを有した防音床材本体１ａに、凹部２２および含浸部２４を後で生成する手順となっているから、凹部２２を必要としない防音床材１を、凹部付きの防音床材１に変形して利用する場合に適している。
【００７６】
この製造方法の場合も図５のものと同様、上述したように、添加剤の量や塗布のスピードをコントロールしながら塗布することで含浸部２４を点在させることが可能となる。
【００７７】
つぎに、防音床材１の種々の実験結果について説明する。実験は、つぎに示す（１）〜（４）の床材について行った。いずれの実験も、クッション材層２０の凹凸面を防音床材１の裏面側に配し、その凹部２２の内底面側に添加剤を付与したことにより含浸部２４が形成された防音床材１（図１（ｃ）に相当するもの）について行った。添加剤としては２液型の弾性塗料を用いた。また、含浸部２４は千鳥状に形成されている。
【００７８】
（１）木質基材：５層の南洋材合板、厚８．５ｍｍ
短手方向のスリット：ピッチ１１．６ｍｍ、カット幅１．８ｍｍ、深さ６．５ｍｍ
長手方向のスリット：なし（図１（ｃ）においてスリット１２のないものに相当）
クッション材：ウレタン発泡体（ストライプ状の凹部あり）、目付け２５ｋｇ／ｍ３、凸部５ｍｍ、凹部２ｍｍ、凸部幅１０ｍｍ、凹部幅１０ｍｍ
（２）木質基材：５層の南洋材合板、厚８．５ｍｍ
短手方向のスリット：ピッチ１１．６ｍｍ、カット幅１．８ｍｍ、深さ６．５ｍｍ
長手方向のスリット：なし（図１（ｃ）においてスリットのないものに相当）
クッション材：ウレタン発泡体（ストライプ状の凹部あり）、目付け２５ｋｇ／ｍ３、凸部４．５ｍｍ、凹部２ｍｍ、凸部幅１０ｍｍ、凹部幅１０ｍｍ
（３）木質基材：５層の南洋材合板、厚８．５ｍｍ
短手方向のスリット：ピッチ１１．６ｍｍ、カット幅１．８ｍｍ、深さ６．５ｍｍ
長手方向のスリット：本数２本、カット幅３ｍｍ、深さ４．５ｍｍ
クッション材：ウレタン発泡体（ストライプ状の凹部あり）、目付け２５ｋｇ／ｍ３、凸部６ｍｍ（元厚８．５ｍｍ）、凹部３．５ｍｍ、凸部幅１０ｍｍ、凹部幅１０ｍｍ
（４）木質基材：５層の南洋材合板、厚８．５ｍｍ
短手方向のスリット：ピッチ１１．６ｍｍ、カット幅１．８ｍｍ、深さ６．５ｍｍ
長手方向のスリット：本数２本、カット幅３ｍｍ、深さ４．５ｍｍ
クッション材：ウレタン発泡体（ストライプ状の凹部あり）、目付け２５ｋｇ／ｍ３、凸部６ｍｍ（元厚１０ｍｍ）、凹部３．５ｍｍ、凸部幅１０ｍｍ、凹部幅１０ｍｍ
【００７９】
これらについて、底面部２３に添加剤を塗布して含浸部２４を形成させた防音床材１で歩行に関する実験を行った。その結果、上記（１）〜（４）のいずれのものも、添加剤含浸がない同一仕様のものよりも、踏み込み時の沈み込み量が小さくなった。すなわち、いずれのものについても歩行感がよくなった。
【００８０】
個別には、（１）（３）（４）については、添加剤含浸がないものでは多少のぶよぶよ感があったが、含浸部２４を設けたことで歩行感は改善された。また、（２）については、添加剤含浸がないものでもぶよぶよ感はなかったが、含浸部２４を設けたことでさらに歩行感がさらに良好となった。
【００８１】
また、上記の実験はいずれも凹部２２の内底面側に含浸部２４が形成されているため、歩行の際に打音が発生するおそれがあるが、ウレタン樹脂の弾性塗料を用いて実験を行った結果、打音についても改善された。また、ウレタン樹脂の弾性塗料を用いたものは、歩行の際の足や膝への負担も軽減することができた。
【００８２】
さらに、以上の防音床材１のいずれについても、防音性能は含浸部２４が形成されていないものと同程度であり、等級がΔＬＬ−４またはΔＬＬ−５と良好であった。
【００８３】
以上には、クッション材層２０の凹部２２が凹溝状のものを種々示したが、凹溝状でなくてもよい。たとえば、凹部２２は点在されていてもよく、それに１対１に対応して含浸部２４が形成されたものでもよい。
【符号の説明】
【００８４】
１              防音床材
１０            木質基材
１１            裏面
２０            クッション材層
２２            凹部
２３            底面部
２４            含浸部
２０ａ          クッション材
【図１】
2017210828.tif 000003
【図２】
2017210828.tif 000004
【図３】
2017210828.tif 000005
【図４】
2017210828.tif 000006
【図５】
2017210828.tif 000007
【図６】
2017210828.tif 000008